(57)【要約】【課題】複数の加熱部を備えた複合加熱調理器において、ある加熱部の操作がされたときに、使用者が操作している加熱部や動作状態と使用者が操作可能な箇所とそうでない箇所を容易に区別することができないこと。【解決手段】電源スイッチ６によりオンされた際に、表示部１２において加熱部５の動作が設定可能な操作部１１の表示を第１の表示形態で表示させ、操作部１１により操作を受け付けると、操作を受け付けた加熱部５においては、その動作に対応する表示を第２の表示形態で表示すると共に、操作を受け付けていない動作に対応する表示を第３の表示形態で表示し、操作を受け付けていない加熱部においては、全ての動作に対応する表示を第４の表示形態で表示するので、使用者の操作の分かりやすさを向上することができる。【選択図】図１
2013204893.tif 000002
【特許請求の範囲】
【請求項１】
機器の電源のオンオフを制御する電源スイッチと、被加熱物を加熱する複数の加熱部と、前記加熱部の動作を独立して設定する操作部と前記操作部の操作に対応して前記加熱部の動作状態を表示する表示部とを有する操作表示部とを備え、前記操作表示部は機器の電源が前記電源スイッチによりオンされた際に、前記表示部において前記操作部により設定可能な前記加熱部の動作状態に対応した表示を第１の表示形態で表示し、前記操作部により設定可能な前記加熱部の動作状態に対応した表示以外を消灯表示で表示し、前記操作部により操作を受け付けると、操作を受け付けた前記加熱部においては、前記操作部により設定可能な前記加熱部の動作状態に対応した表示の中から、操作を受け付けた動作に対応する表示を第２の表示形態で表示すると共に、操作を受け付けていない動作に対応する表示は第３の表示形態で表示し、そして、操作を受け付けていない前記加熱部においては、前記操作部によって設定可能な前記加熱部の動作状態に対応した表示全てを第４の表示形態で表示する複合加熱調理器。
【請求項２】
前記第１の表示形態は点滅表示とし、前記第２の表示形態は第１の点灯表示とし、前記第３の表示形態は消灯表示とし、前記第４の表示形態は第１の点灯表示より輝度が低い第２の点灯表示とする請求項１に記載の複合加熱調理器。
【請求項３】
前記操作表示部は機器の電源が前記電源スイッチによりオンされてから一定時間何も操作されなかった際には前記表示部の表示を消灯表示又は、第３の点灯表示で表示する請求項１又は２に記載の複合加熱調理器。
【請求項４】
前記操作表示部は前記複数の加熱部のうち少なくともいずれかが動作した後、全ての加熱部の動作が終了すると、前記表示部において前記操作部により設定可能な前記加熱部の動作状態に対応した表示を第１の表示形態で表示し、そして、前記操作部によって設定可能な前記加熱部の動作状態に対応した表示以外を消灯表示で表示し、機器の電源がオンされた時と同様の動作をする請求項１〜３のいずれか一項に記載の複合加熱調理器。
【発明の詳細な説明】
【技術分野】
【０００１】
本発明は、加熱調理器に関するものであり、特に、複数の加熱部を有する加熱調理器において、ある加熱部に対して加熱操作が行われると、加熱操作が行われていない他の加熱部については、対応する操作表示部の表示を変更する機能を備えた複合加熱調理器に関するものである。
【背景技術】
【０００２】
従来、この種の加熱調理器は、外郭を構成する本体と、前記本体の上部に設けたトッププレートと、前記トッププレート上に設けた調理容器を載置して加熱する少なくとも１つの加熱部と、加熱調理条件を入力する操作部と、前記加熱部への入力状態を表示する状態表示部とを備え、前記操作部の入力可否状態を前記状態表示部で表示していた（特許文献１参照）。
【先行技術文献】
【特許文献】
【０００３】
【特許文献１】特開２００５−１２２９６０号公報
【発明の概要】
【発明が解決しようとする課題】
【０００４】
しかしながら、前記従来の構成では、加熱調理器が電源オン状態である時に表示部を点滅させることにより、電源オン状態であること、キー操作受付待ち（待機状態）であることを示し、かつ、少なくとも２つ以上の加熱部を有する複合加熱調理器においては、ある加熱部に対して加熱操作が行われると、加熱操作が行われていない他の加熱部については、対応する表示部の表示が点滅表示を継続し、加熱操作が行われたにも関らず待機状態であることを示し続けるため、使用者が不自然に感じるという課題を有していた。
【０００５】
本発明は、前記従来の複合加熱調理器における課題を解決するものであり、使用者に対しての操作の分かりやすさを向上させた複合加熱調理器を提供することを目的とする。
【課題を解決するための手段】
【０００６】
前記従来の課題を解決するために、本発明の複合加熱調理器は、被加熱物を加熱する加熱部を少なくとも２つと、電源投入後に次の操作が可能な箇所が点滅する機能を有し、前記加熱部の動作を独立して設定可能な操作表示部とを備え、前記操作表示部は前記複数ある加熱部のうち、ある１つの前記加熱部に対して加熱操作を行うと、操作された前記加熱部に関する表示については点滅表示を停止し、点灯状態に変更すると共に、加熱操作が行われていない他の前記加熱部に関する表示については点滅表示を停止し、消灯状態とするとしたものである。
【０００７】
これによって、複数ある加熱部のうち、ある加熱部に対して加熱操作を受け付けた後は、加熱操作を受け付けていない加熱部については、操作表示部の表示が操作可能であることを示す点滅状態を継続することがなくなるため、操作を受け付けた後に、操作された加熱部と操作されていない加熱部の操作可能な箇所を簡単に見分けることができる
【発明の効果】
【０００８】
本発明の複合加熱調理器は、複数ある加熱部のうち、ある加熱部に対して加熱操作を受け付けた後は、加熱操作を受け付けていない加熱部については、操作表示部の表示が操作可能であることを示す点滅状態を継続することがなくなるため、使用者に対して操作の分
かりやすさを向上することができる。
【図面の簡単な説明】
【０００９】
【図１】本発明の実施の形態１、２、３、４における複合加熱調理器の全体構成を示すブロック図
【図２】本発明の実施の形態１、２における複合加熱調理器の操作表示部の構成図
【図３】本発明の実施の形態１における複合加熱調理器の動作を示すフローチャート
【図４】本発明の実施の形態１における複合加熱調理機の操作表示部の表示内容を示す図
【図５】本発明の実施の形態２における複合加熱調理器の動作を示すフローチャート
【図６】本発明の実施の形態２における複合加熱調理器の操作表示部の表示内容を示す図
【図７】本発明の実施の形態３における複合加熱調理器の動作を示すフローチャート
【図８】本発明の実施の形態４における複合加熱調理器の動作を示すフローチャート
【発明を実施するための形態】
【００１０】
第１の発明は、機器の電源のオンオフを制御する電源スイッチと、被加熱物を加熱する複数の加熱部と、前記加熱部の動作を独立して設定する操作部と前記操作部の操作に対応して前記加熱部の動作状態を表示する表示部とを有する操作表示部とを備え、前記操作表示部は機器の電源が前記電源スイッチによりオンされた際に、前記表示部において前記操作部により設定可能な前記加熱部の動作状態に対応した表示を第１の表示形態で表示し、前記操作部により設定可能な前記加熱部の動作状態に対応した表示以外を消灯表示で表示し、前記操作部により操作を受け付けると、操作を受け付けた前記加熱部においては、前記操作部により設定可能な前記加熱部の動作状態に対応した表示の中から、操作を受け付けた動作に対応する表示を第２の表示形態で表示すると共に、操作を受け付けていない動作に対応する表示は第３の表示形態で表示し、そして、操作を受け付けていない前記加熱部においては、前記操作部によって設定可能な前記加熱部の動作状態に対応した表示全てを第４の表示形態で表示するものである。
【００１１】
これにより、操作を受け付けた後に、操作された加熱部と操作されていない加熱部の操作可能な箇所を簡単に見分けることができる為、使用者に対して操作の分かりやすさを向上させることができる。
【００１２】
第２の発明は、特に、第１の発明において、前記第１の表示形態は点滅表示とし、前記第２の表示形態は第１の点灯表示とし、前記第３の表示形態は消灯表示とし、前記第４の表示形態は第１の点灯表示より輝度が低い第２の点灯表示とするものである。
【００１３】
これにより、操作を受け付けた後に、前記複数ある加熱部のうち、操作を受け付けた加熱部においては、操作部により設定可能な加熱部の動作状態に関する表示の中から、操作を受け付けた動作に関する表示は第１の点灯表示で点灯し、操作を受け付けていない動作に関する表示は消灯する為、使用者は、操作を受け付けた加熱部の動作状態を容易に見分けることができる。
【００１４】
さらに、前記複数ある加熱部のうち、操作を受け付けていない加熱部においては、操作部により設定可能な加熱部の動作状態に関する表示全てを第２の点灯表示で点灯する為、使用者は前記複数ある加熱部のうち、ある一つの加熱部の加熱を開始したにも関らず、操作を受け付けていない加熱部に関する表示が点滅動作をし続けることの不自然さを解消することができ、かつ、第２の点灯表示と消灯との差別化を図ることで使用者が操作可能な動作と操作不可能な動作とを簡単に区別することができる。
【００１５】
第３の発明は、特に、第１または第２の発明において、前記操作表示部は機器の電源が前記電源スイッチによりオンされてから一定時間何も操作されなかった際には前記表示部の表示を消灯表示又は、第３の点灯表示で表示するものである。
【００１６】
これにより、電源オン状態とキー操作受付待ちであることを示す操作表示部の表示を使用者が煩わしいと感じるのを防ぐとともに、消費エネルギーを低減することができる。
【００１７】
第４の発明は、特に、第１〜３のいずれか１つの発明において、前記操作表示部は前記複数の加熱部のうち少なくともいずれかが動作した後、全ての加熱部の動作が終了すると、前記表示部において前記操作部により設定可能な前記加熱部の動作状態に対応した表示を前記第１の表示形態で表示し、そして、前記操作部によって設定可能な前記加熱部の動作状態に対応した表示以外を消灯表示で表示し、機器の電源がオンされた時と同様の動作をするものである。
【００１８】
これにより、前記複数ある加熱部について、操作可能な動作に関する表示が再度点滅するので、機器の電源をオフせず連続して調理を行う場合においても、操作可能な動作と操作不可能な動作とを使用者が簡単に見分けることができるとともに、機器の電源のオン／オフ状態も簡単に認識することができ、使用者の操作の分かりやすさや使いやすさを向上することができる。
【００１９】
以下、本発明の複合加熱調理器に係る実施の形態について、図面を参照しながら説明する。なお、この実施の形態に記載した具体的な構成によって、本発明が限定されるものではない。
【００２０】
（実施の形態１）
図１は本発明の第１の実施の形態における複合加熱調理器の全体構成を示すブロック図である。図２は本発明の第１の実施の形態における複合加熱調理器の操作表示部の詳細な構成を示す構成図である。
【００２１】
図１及び図２に示すように、実施の形態１の複合加熱調理器は、複合加熱調理器の上面に設けられたセラミック製のトッププレート１と、高周波磁界を発生させることによって、トッププレート１上の調理容器（左調理容器２ｂ及び右調理容器２ａ）を誘導加熱する加熱コイル（左加熱コイル３ｂ及び右加熱コイル３ａ）と抵抗の発熱によりトッププレート１上の調理容器（中調理容器２ｃ）を加熱するラジェントヒーター４で構成される加熱手段１４とを備えている。
【００２２】
トッププレート１は、ガラスなどの電気絶縁物で構成している。誘導加熱コイルである左加熱コイル３ｂ、右加熱コイル３ａは、トッププレート１の下方の左部に左加熱コイル３ｂが、右部に右加熱コイル３ａがそれぞれ設けられ、抵抗による発熱体であるラジェントヒーター４は、トッププレート１の下方の中央に設けられて加熱手段１４を構成している。
【００２３】
なお、本実施の形態の複合加熱調理器において、加熱手段１４の構成は、実施の形態１の構成に限定されるものではなく、被加熱物を加熱できるものであれば良く、さらに、加熱手段１４を構成する右加熱コイル３ａ、左加熱コイル３ｂ、ラジェントヒーター４の数は複数あればいくつでも良い。
【００２４】
また、加熱手段１４の下方には、商用電源７から供給される交流電圧から高周波電流を生成し、生成した高周波電流を加熱コイル（左加熱コイル３ｂ及び右加熱コイル３ａ）に出力するインバータ部（左インバータ部８ｂ及び右インバータ部８ａ）と、商用電源７か
ら供給される交流電圧をラジェントヒーター４に供給するか否かのオンオフ制御を行うラジェント部９とで構成される加熱制御部１０が設けられている。
【００２５】
さらに、オンとすることで、加熱手段１４（左加熱コイル３ｂ、右加熱コイル３ａ、ラジェントヒーター４）と加熱制御部１０（左インバータ部８ｂ、右インバータ部８ａ、ラジェント部９）により構成される加熱部（右加熱部５ａ、左加熱部５ｂ、中加熱部５ｃ）への電源供給を行い、オフとすることで加熱部への電源供給を遮断する電源スイッチ６と、電源スイッチ６をオンとすることで点灯しオフとすることで消灯する通電ランプ１５を備えている。
【００２６】
電源スイッチ６は、本実施の形態の複合加熱調理器の使用者が実行できる領域に設けられ、通電ランプ１５は電源スイッチ６のすぐ近くの領域で使用者が見えやすい位置に設けられている。
【００２７】
このとき、加熱部は、左加熱コイル３ｂと左インバータ部８ｂを備える左加熱部５ｂと、右加熱コイル３ａと右インバータ部８ａを備える右加熱部５ａと、ラジェントヒーター４とラジェント部９を備える中加熱部５ｃとで構成される。
【００２８】
なお、本実施の形態の複合加熱調理器において、電源スイッチ６の設置場所は、実施の形態１の構成に限定されるものではなく、使用者が操作できるところであればよい。
【００２９】
また、本実施の形態の複合加熱調理器において、通電ランプの設置場所は、実施の形態１の構成に限定されるものではなく、使用者が見えるところであればよい。
【００３０】
図２（ａ）は操作表示部（右操作表示部１３ａ、左操作表示部１３ｂ、中操作表示部１３ｃ）に配置されている操作部（右操作部１１ａ、左操作部１１ｂ、中操作部１１ｃ）および表示部（右表示部１２ａ、左表示部１２ｂ、中表示部１２ｃ）の構成を示している。
【００３１】
図２（ｂ）は操作部の操作キーおよび表示部の表示内容の詳細図である。
【００３２】
操作部は図２（ｂ）に示すように各種のキーを備え、このキーを操作して、加熱制御部１０へ命令を入力することにより、加熱部５の加熱動作モード（通常加熱モードと揚げ物モードと湯沸しモードや、通常加熱モードにおける火力のアップ／ダウン及びタイマー設定など）を設定する。
【００３３】
右操作部１１ａにおいては、加熱キー１１ａＡと揚げ物キー１１ａＢと湯沸しキー１１ａＣ及び、火力上下キー１１ａＤとタイマーキー１１ａＥを備えている。
【００３４】
左操作部１１ｂにおいては、加熱キー１１ｂＡと揚げ物キー１１ｂＢと湯沸しキー１１ｂＣ及び、火力上下キー１１ｂＤとタイマーキー１１ｂＥ。中操作部１１ｃにおいては、加熱キー１１ｃＡと火力上下キー１１ｃＤを備えている。
【００３５】
さらに、操作部の各操作キーに対応して加熱部の各々の動作状態を表示する表示部（右表示部１２ａ、左表示部１２ｂ、中表示部１２ｃ）を備えている。
【００３６】
右表示部１２ａにおいては、加熱ＬＥＤ１２ａＡと揚げ物ＬＥＤ１２ａＢと湯沸しＬＥＤ１２ａＣを備えている。
【００３７】
左表示部１２ｂにおいては、加熱ＬＥＤ１２ｂＡと揚げ物ＬＥＤ１２ｂＢと湯沸しＬＥＤ１２ｂＣを備えている。
【００３８】
中表示部１２ｃにおいては、加熱ＬＥＤ１２ｃＡを備えている。
【００３９】
また、操作表示部（右操作表示部１３ａ、左操作表示部１３ｂ、中操作表示部１３ｃ）を各加熱部（左加熱部５ｂと右加熱部５ａと中加熱部５ｃ）に対してそれぞれ備え、操作表示部はトッププレート１近傍の使用者が実行できる領域に設けられている。但し、ラジェントヒーター４の加熱動作は通常加熱と火力のアップ／ダウンのみとする。
【００４０】
なお、本実施の形態の複合加熱調理器において、操作表示部の構成は、実施の形態１の構成に限定されるものではなく、使用者が日常で使う加熱動作を設定でき、かつ現在の複合加熱調理器の動作状態を容易に認識できる操作表示部１３であれば良く、さらに、使用者が複合加熱調理器を簡単に操作できれば操作表示部の数はいくつでも良い。
【００４１】
なお、本実施の形態の複合加熱調理器において、操作表示部（右操作表示部１３ａ、左操作表示部１３ｂ、中操作表示部１３ｃ）の設置位置は、実施の形態１の構成に限定されるものではなく、使用者が操作でき、かつ視認できる位置であればよい。
【００４２】
以上のように構成された複合加熱調理器について、以下、その動作、作用を説明する。
【００４３】
図３は、本発明の第１の実施の形態における複合加熱調理器の動作を示すフローチャート、図４は、本発明の第１の実施の形態における複合加熱調理機の操作表示部の表示内容を示す図である。また、図４の操作部および表示部の各種操作キーならびにＬＥＤ表示の配置は図２と同じであり、図と同一の符号を用いて説明する。
【００４４】
図３において、まず、複数ある加熱部５（右加熱部５ａ、中加熱部５ｃ、左加熱部５ｂ）全てに対して、電源供給が遮断された電源オフモード状態（ＳＴＥＰ０）から、電源スイッチ６がオン操作されたかどうかの判定を行う（ＳＴＥＰ１）。
【００４５】
電源スイッチ６がオン操作されると、複数ある加熱部５の全てに対して電源が供給されるようになるが、加熱動作は停止状態を保持する。この時、通電ランプ１５は点灯し、表示部１２（右表示部１２ａ、左表示部１２ｂ、中表示部１２ｃ）は、操作部１１（右操作部１１ａ、左操作部１１ｂ、中操作部１１ｃ）に配置された操作キーの中で、加熱部５（右加熱部５ａ、左加熱部５ｂ、中加熱部５ｃ）の加熱動作状態を設定できるキーであることを示すＬＥＤを点滅表示させ、それ以外の表示は消灯させる（ＳＴＥＰ２）。
【００４６】
次に、操作部１１にて、加熱部５に対する加熱操作を受け付ける（ＳＴＥＰ３）と、通電ランプ１５は点灯を維持し、加熱操作を受け付けた加熱部５においては、加熱動作を開始すると共に表示部１２のうち加熱部５の加熱動作状態を設定できるキーを示すＬＥＤの中から、操作を受け付けた動作状態を示すＬＥＤを点灯表示し（ＳＴＥＰ４ａ）、それ以外の動作状態を示すＬＥＤは消灯表示する（ＳＴＥＰ４ｂ）。
【００４７】
さらに、加熱操作を受け付けていない加熱部５においては、加熱部５の加熱動作状態を設定できるキーを示すＬＥＤ全てを消灯表示する（ＳＴＥＰ４ｃ）。
【００４８】
例えば、図３及び図４において、まず、複数ある加熱部５の全てに対して電源供給が遮断された電源オフモード状態（ＳＴＥＰ０）から、電源スイッチ６がオン操作されたかどうかの判定を行う（ＳＴＥＰ１）。電源スイッチ６がオン操作されると、複数ある加熱部５全てに対して電源が供給されるようになるが、加熱動作は停止状態を保持する。
【００４９】
この時、図４（ａ）に示すように、通電ランプ１５は点灯し、表示部１２は操作部１１
に配置された操作キーの中で、加熱部５の加熱動作状態を設定できるキー（ここでは、右操作部１１ａの加熱キー１１ａＡと揚げ物キー１１ａＢと湯沸しキー１１ａＣ。左操作部１１ｂの加熱キー１１ｂＡと揚げ物キー１１ｂＢと湯沸しキー１１ｂＣ。中操作部１１ｃの加熱キー１１ｃＡ）であることを示すＬＥＤ（ここでは、右操作部１１ａの加熱キー１１ａＡに対応した加熱ＬＥＤ１２ａＡと揚げ物キー１１ａＢに対応した揚げ物ＬＥＤ１２ａＢと湯沸しキー１１ａＣに対応した湯沸しＬＥＤ１２ａＣと、左操作部１１ｂの加熱キー１１ｂＡに対応した加熱ＬＥＤ１２ｂＡと揚げ物キー１１ｂＢに対応した揚げ物ＬＥＤ１２ｂＢと湯沸しキー１１ｂＣに対応した湯沸しＬＥＤ１２ｂＣと、中操作部１１ｃの加熱キー１１ｃＡに対応した加熱ＬＥＤ１２ｃＡ）を点滅表示（例えば、２秒点灯／１秒消灯）させ。
【００５０】
それ以外の表示（例えば、右操作部の火力を表示する火力ＬＥＤ等）は消灯させる（ＳＴＥＰ２）。この時、右加熱部５ａを通常加熱モードにて加熱を開始する為に、加熱キー１１ａＡを操作する（ＳＴＥＰ３）と、通電ランプ１５は点灯を維持し、右加熱部５ａに対する加熱操作を受け付けたことになる為、図４（ｂ）に示すように、加熱操作を受け付けた右加熱部５ａにおいては、右操作部１１ａのうち右加熱部５ａの動作を設定できるキー（加熱キー１１ａＡと揚げ物キー１１ａＢと湯沸しキー１１ａＣ）を示すＬＥＤ（加熱ＬＥＤ１２ａＡと揚げ物ＬＥＤ１２ａＢと湯沸しＬＥＤ１２ａＣ）の中から、操作を受け付けた加熱モードを示す加熱ＬＥＤ１２ａＡを点灯表示する（ＳＴＥＰ４ａ）と共に、操作を受け付けていない揚げ物モード及び湯沸しモードを示すＬＥＤ（揚げ物ＬＥＤ１２ａＢと湯沸しＬＥＤａＣ）は消灯表示する（ＳＴＥＰ４ｂ）。
【００５１】
さらに、操作を受け付けていない他の加熱部５（ここでは、左加熱部５ｂ及び中加熱部５ｃ）においては、左加熱部５ｂ及び中加熱部５ｃの動作状態を設定できるキー（ここでは、左操作部１１ｂの加熱キー１１ｂＡと揚げ物キー１１ｂＢと湯沸しキー１１ｂＣと、中操作部１１ｃの加熱キー１１ｃＡ）であることを示すＬＥＤ（ここでは、左表示部１２ｂの加熱ＬＥＤ１２ｂＡと揚げ物ＬＥＤ１２ｂＢと湯沸しＬＥＤ１２ｂＣと、中表示部の加熱ＬＥＤ１２ｃＡ）全てを消灯表示に変更する（ＳＴＥＰ４ｃ）。
【００５２】
以上のように、本実施の形態１の複合加熱調理器によれば、ある加熱部において加熱操作を受け付けた後も加熱操作されていない加熱部の操作可能な操作を視覚的に示す表示が点滅状態を続けることがなくなるため、使用者に対して操作の分かりやすさを保持しつつ、不自然さを解消することができる。
【００５３】
なお、本実施の形態の複合加熱調理器において、ＳＴＥＰ２での点滅表示はこれに限定されるものではなく、使用者が消灯と区別でき、かつ使用者が見やすい表示方法であれば良い。
【００５４】
さらに、ＳＴＥＰ４ａでの点灯表示は使用者が消灯と区別でき、かつＳＴＥＰ４ｂ及びＳＴＥＰ４ｃでの表示形態と異なる表示形態であれば良く、使用者が見やすい表示方法であれば良い。
【００５５】
（実施の形態２）
次に、本発明に係る実施の形態２の複合加熱調理器について、前述の図１、図２及び図５、図６を参照しながら説明する。実施の形態２は操作表示部１３の機能に特徴があり、操作表示部１３以外の構成、機能は実施の形態１と共通である。よって、実施の形態１の複合加熱調理器において説明したものと同じ、機能、構成を有するものには同一符号を用いて、その説明を省略する。
【００５６】
図５は、本発明の第２の実施の形態における複合加熱調理器の動作を示すフローチャー
トである。図６は、本発明の第２の実施の形態における複合加熱調理器の操作表示部の表示内容を示す図である。
【００５７】
図５において、実施の形態２の操作表示部１３は、操作部１１にて加熱部５に対する操作を受け付ける（ＳＴＥＰ３）と、通電ランプ１５は点灯を維持し、操作を受け付けた加熱部５においては、操作部１１により加熱部５の動作を設定できるキーを示すＬＥＤの中から操作を受け付けた動作を示すＬＥＤを第１の点灯表示で表示する（ＳＴＥＰ５ａ）と共に、操作を受け付けていない動作を示すＬＥＤは消灯表示する（ＳＴＥＰ５ｂ）。
【００５８】
さらに、操作を受け付けていない加熱部５においては、操作部１１中の加熱部５の動作を設定できるキーを示すＬＥＤ全てを第１の点灯表示より輝度の低い第２の点灯表示で表示する（ＳＴＥＰ５ｃ）。
【００５９】
例えば、図６の本発明の実施の形態２の操作表示部１３の表示例を用いて説明すると、ＳＴＥＰ１にて電源スイッチ６でオン操作がされると、図６（ａ）で示すように、通電ランプ１５は点灯し、表示部１２は操作部１１により加熱部５の動作状態を設定できるキー（ここでは、右操作部１１ａの加熱キー１１ａＡと揚げ物キー１１ａＢと湯沸しキー１１ａＣ）。
【００６０】
左操作部１１ｂの加熱キー１１ｂＡと揚げ物キー１１ｂＢと湯沸しキー１１ｂＣ。中操作部１１ｃの加熱キー１１ｃＡ）であることを示すＬＥＤ（ここでは、加熱キー１１ａＡに対応した加熱ＬＥＤ１２ａＡと揚げ物キー１１ａＢに対応した揚げ物ＬＥＤ１２ａＢと湯沸しキー１１ａＣに対応した湯沸しＬＥＤ１２ａＣと、加熱キー１１ｂＡに対応した加熱ＬＥＤ１２ｂＡと揚げ物キー１１ｂＢに対応した揚げ物ＬＥＤ１２ｂＢと湯沸しキー１１ｂＣに対応した湯沸しＬＥＤ１２ｂＣと、加熱キー１１ｃＡに対応した加熱ＬＥＤ１２ｃＡ）を点滅表示（例えば、２秒点灯／１秒消灯）させ、操作部１１により加熱部５の動作を設定できないキーを示すＬＥＤを消灯させる（ＳＴＥＰ２）。
【００６１】
この時、右加熱部５ａを通常加熱モードにて加熱を開始する為に、加熱キー１１ａＡを操作する（ＳＴＥＰ３）と、右加熱部５ａに対する加熱操作を受け付けたことになる為、図６（ｂ）に示すように、通電ランプ１５は点灯を維持し、加熱操作を受け付けた右加熱部５ａにおいては、右操作部１１ａのうち右加熱部５ａの動作状態を設定できるキー（加熱キー１１ａＡと揚げ物キー１１ａＢと湯沸しキー１１ａＣ）を示すＬＥＤ（加熱ＬＥＤ１２ａＡと揚げ物ＬＥＤ１２ａＢと湯沸しＬＥＤ１２ａＣ）の中から、操作を受け付けた動作状態を示す加熱ＬＥＤ１２ａＡを第１の点灯表示で表示する（ＳＴＥＰ４ａ）と共に、操作を受け付けていない揚げ物モード及び湯沸しモードを示すＬＥＤ（揚げ物ＬＥＤ１２ａＢと湯沸しＬＥＤａＣ）は消灯表示する（ＳＴＥＰ４ｂ）。
【００６２】
さらに、操作を受け付けていない他の加熱部５（ここでは、左加熱部５ｂ及び中加熱部５ｃ）においては、加熱部５（左加熱部５ｂ及び中加熱部５ｃ）の動作状態を設定できるキー（ここでは、左操作部１１ｂの加熱キー１１ｂＡと揚げ物キー１１ｂＢと湯沸しキー１１ｂＣと、中操作部１１ｃの加熱キー１１ｃＡ）であることを示すＬＥＤ（ここでは、左表示部１２ｂの加熱ＬＥＤ１２ｂＡと揚げ物ＬＥＤ１２ｂＢと湯沸しＬＥＤ１２ｂＣと、中表示部の加熱ＬＥＤ１２ｃＡ）全てを第２の点灯表示に変更する（ＳＴＥＰ４ｃ）。
【００６３】
以上のことから、実施の形態２の複合加熱調理器によれば、ＳＴＥＰ３にて、操作部１１により加熱部５の動作の設定操作がされると、前記複数ある加熱部のうち、操作を受け付けた加熱部においては、操作部により設定可能な加熱部の動作状態に関する表示の中から、操作を受け付けた動作に関する表示は第１の点灯表示で点灯し、操作を受け付けていない動作に関する表示は消灯する為、使用者は、操作を受け付けた加熱部の動作状態を容
易に見分けることができる。
【００６４】
さらに、前記複数ある加熱部のうち、操作を受け付けていない加熱部においては、操作部により設定可能な加熱部の動作状態に関する表示全てを第１の点灯表示より輝度の低い第２の点灯表示で点灯する為、使用者は前記複数ある加熱部のうち、ある一つの加熱部の加熱を開始したにも関らず、操作を受け付けていない加熱部に関する表示が点滅動作をし続けることの不自然さを解消することができ、かつ、操作部１１によって設定可能な加熱部５の動作状態に対応した表示以外は消灯しており、第２の点灯表示と消灯表示との差別化を図ることで使用者が操作可能な動作と操作不可能な動作を簡単に区別することができる。
【００６５】
なお、本発明の複合加熱調理器において、通電ランプ１５の点灯表示はこれに限定されるものではなく、第１の点灯表示や第２の点灯表示でもよく、使用者が消灯と区別でき、かつ使用者が見やすい表示形態であれば良い。
【００６６】
なお、本発明の複合加熱調理器において、ＳＴＥＰ５ａでの第１の点灯表示はこれに限定されるものではなく、使用者が消灯と区別でき、かつ使用者が見やすい表示形態であれば良い。
【００６７】
また、ＳＴＥＰ５ｂでの消灯表示はこれに限定されるものではなく、ＳＴＥＰ５ａでの表示形態より使用者に目立たない表示形態であれば良い。
【００６８】
さらに、ＳＴＥＰ５ｃでの第２の点灯表示はこれに限定されるものではなく、ＳＴＥＰ５ａでの表示形態より使用者に目立たない表示形態であれば良く、ＳＴＥＰ５ｂでの表示形態と同じでも良いし、異なっても良い。
【００６９】
（実施の形態３）
次に、本発明に係る実施の形態３の複合加熱調理器について、前述の図１、及び図７を参照しながら説明する。実施の形態３は操作表示部１３の機能に特徴があり、操作表示部１３以外の構成、機能は実施の形態１又は２のいずれか一項と共通である。よって、実施の形態１又は２のいずれか一項の複合加熱調理器において説明したものと同じ、機能、構成を有するものには同一符号を用いて、その説明を省略する。
【００７０】
図７は、本発明の第３の実施の形態における複合加熱調理器の動作を示すフローチャートである。
【００７１】
図７において、実施の形態３の操作表示部１３は、電源スイッチ６がオン操作（ＳＴＥＰ１）され、通電ランプ１５は点灯し、表示部１２は操作部１１に配置された操作キーの中で、加熱部５の動作状態を設定できるキーを示すＬＥＤを点滅表示させ、それ以外の表示は消灯させる（ＳＴＥＰ２）る。
【００７２】
その後、一定時間（例えば１分間）何も操作されなかった際（ＳＴＥＰ６）には、通電ランプ１５は点灯を維持し、加熱部５の動作状態を設定できるキーを示すＬＥＤを第３の点灯表示で表示する（ＳＴＥＰ７）。その後、操作部１１により加熱部５の動作の設定操作がされる（ＳＴＥＰ８）と、ＳＴＥＰ５に移行する。
【００７３】
なお、本発明の複合加熱調理器において、ＳＴＥＰ７において、第３の点灯表示は消灯表示でも良く、変更する前の表示形態より省エネであれば良い。
【００７４】
以上のことから、実施の形態３の複合加熱調理器によれば、操作表示部１３は、ＳＴＥ
Ｐ２で、表示部１２は操作部１１に配置された操作キーの中で、加熱部５の動作状態を設定できるキーを示すＬＥＤを点滅表示させ、それ以外の表示は消灯させてから、一定時間何も操作されなかった際（ＳＴＥＰ６）には、加熱部５の動作状態を設定できるキーを示すＬＥＤを第３の点灯表示で表示する（ＳＴＥＰ７）ことにより、使用者が煩わしいと感じるのを防ぐとともに、消費エネルギーを削減することができ、かつ、ＬＥＤの寿命を延ばすことが出来る。
【００７５】
（実施の形態４）
次に、本発明に係る実施の形態４の複合加熱調理器について、前述の図１、及び図８を参照しながら説明する。実施の形態３は操作表示部１３の機能に特徴があり、操作表示部１３以外の構成、機能は実施の形態１〜３のいずれか一項と共通である。よって、実施の形態１〜３のいずれか一項の複合加熱調理器において説明したものと同じ、機能、構成を有するものには同一符号を用いて、その説明を省略する。
【００７６】
図８は、本発明の第４の実施の形態における複合加熱調理器の動作を示すフローチャートである。
【００７７】
図８において、まず、実施の形態４の操作表示部１３は、ＳＴＥＰ５を経て、複数の加熱部５のうち少なくともいずれかが動作を受け付けた（ＳＴＥＰ９）後、全ての加熱部５の動作が終了する（ＳＴＥＰ１０）と、ＳＴＥＰ２へ移行し、通電ランプ１５は点灯を維持し、表示部１２は操作部１１に配置された操作キーの中で、加熱部５の動作状態を設定できるキーを示すＬＥＤを点滅表示させ、それ以外の表示は消灯させる
以上のことから、実施の形態４の複合加熱調理器によれば、操作表示部１３は、ＳＴＥＰ１０で全ての加熱部５の動作が終了すると、ＳＴＥＰ２へ移行し、操作可能な箇所が再度点滅するので、機器の電源をオフせずに連続して調理を行う場合において、操作可能な箇所と操作不可能な箇所を使用者が簡単に見分けることができるとともに、機器の電源のオン／オフも簡単に認識することが出来き、使用者の操作の分かりやすさや使いやすさを向上することができる。
【産業上の利用可能性】
【００７８】
以上のように、本発明にかかる複合加熱調理器は、使用者が操作している加熱部と動作状態が簡単に分かり、かつ、使用者が操作可能な箇所とそうでない箇所を簡単に区別することができ、使用者の操作の分かりやすさを向上することが出来るので、加熱部や操作部や表示部が複数存在し、電源スイッチが存在し、電源オン中に、加熱部の使用がおこる可能性がある、組み込み式、テーブルの上で使用する卓上型、又は置き台の上で使用する据え置き型等において、家庭用又は業務用の加熱調理器に有効である。
【符号の説明】
【００７９】
１  トッププレート
２ａ  右調理容器
２ｂ  左調理容器
２ｃ  中調理容器
３ａ  右加熱コイル
３ｂ  左加熱コイル
４  ラジェントヒーター
５ａ  右加熱部
５ｂ  左加熱部
５ｃ  中加熱部
６  電源スイッチ
７  商用電源
８ａ  右インバータ部
８ｂ  左インバータ部
９  ラジェント部
１０  加熱制御部
１１ａ  右操作部
１１ｂ  左操作部
１１ｃ  中操作部
１２ａ  右表示部
１２ｂ  左表示部
１２ｃ  中表示部
１３ａ  右操作表示部
１３ｂ  左操作表示部
１３ｃ  中操作表示部
１４  加熱手段
１５  通電ランプ
【図１】
2013204893.tif 000003
【図３】
2013204893.tif 000004
【図５】
2013204893.tif 000005
【図７】
2013204893.tif 000006
【図８】
2013204893.tif 000007
【図２】
2013204893.tif 000008
【図４】
2013204893.tif 000009
【図６】
2013204893.tif 000010